(57)【要約】【課題】トラクションバッテリ用のバッテリハウジングを提供する。【解決手段】  トラクションバッテリ（１５）を受け入れるバッテリハウジング（２０）は、共同してトラクションバッテリ（１５）用の受入れ領域（２１）を画定するバッテリハウジング部（３０、３２）およびカバー（５０）を有する。カバー（５０）は、接触面（５２）を有し、およびバッテリハウジング部（３０、３２）は、接触対向面（３４）を有し、この接触面（５２）および接触対向面（３４）は、接触領域（９０）で互いに当接する。シールド領域（７３）に延在するシールド部（７０）が設けられ、このシールド領域（７３）は、受入れ領域（２１）および接触領域（９０）の遮蔽をもたらすために、受入れ領域（２１）と接触領域（９０）との間に配置される。リベットナットは、カバー（５０）をバッテリハウジング部に固定するために使用される。【選択図】図１
2018046014.tif 000002
【特許請求の範囲】
【請求項１】
トラクションバッテリ（１５）を受け入れるバッテリハウジング（２０）であって、
共同して前記トラクションバッテリ（１５）用の受入れ領域（２１）を画定するバッテリハウジング部（３０、３２）およびカバー（５０）を含み、
前記カバー（５０）は、接触面（５２）を有し、および前記バッテリハウジング部（３０、３２）は、接触対向面（３４）を有し、前記接触面（５２）および接触対向面（３４）は、接触領域（９０）で互いに当接し、
シールド領域（７３）に延在するシールド部（７０）が設けられ、前記シールド領域（７３）は、前記受入れ領域（２１）および前記接触領域（９０）の遮蔽をもたらすために、前記受入れ領域（２１）と前記接触領域（９０）との間に配置される、バッテリハウジング（２０）。
【請求項２】
前記シールド部（７０）は、シールドプレートとして設計される、請求項１に記載のバッテリハウジング。
【請求項３】
前記シールド部（７０）は、前記カバー（５０）が前記バッテリハウジング部（３０、３２）に固定されるときに、前記シールド部（７０）を前記バッテリハウジング（２０）内に所定の方法で配置するように前記カバー（５０）に固定連結される、請求項１または２に記載のバッテリハウジング。
【請求項４】
前記シールド部（７０）は、前記カバー（５０）が前記バッテリハウジング部（３０、３２）に固定されるときに、前記シールド部（７０）を前記バッテリハウジング（２０）内に所定の方法で配置するように前記バッテリハウジング部（３０、３２）に固定連結される、請求項１〜３のいずれか一項に記載のバッテリハウジング。
【請求項５】
前記シールド部（７０）は、前記バッテリハウジング（２０）に導電接続される、請求項１〜４のいずれか一項に記載のバッテリハウジング。
【請求項６】
前記シールド部（７０）は、前記バッテリハウジング（２０）に当接する自由端を有する、請求項１〜５のいずれか一項に記載のバッテリハウジング。
【請求項７】
前記シールド部（７０）は、少なくとも領域において有孔プレートとして設計される、請求項１〜６のいずれか一項に記載のバッテリハウジング。
【請求項８】
前記カバー（５０）および前記バッテリハウジング部（３０、３２）は、接着剤（４０）を用いた接着連結によって互いに連結される、請求項１〜７のいずれか一項に記載のバッテリハウジング。
【請求項９】
前記バッテリハウジング部（３０、３２）および前記カバー（５０）は金属材料を有する、請求項１〜８のいずれか一項に記載のバッテリハウジング。
【請求項１０】
トラクションバッテリ（１５）を受け入れるバッテリハウジング（２０）であって、
共同して前記トラクションバッテリ（１５）用の受入れ領域（２１）を画定するバッテリハウジング部（３０、３２）およびカバー（５０）を含み、
ヘッド部（６１）および管状領域（６２、６３）を有する少なくとも１つのリベットナット（６０）が設けられ、前記リベットナットは、前記バッテリハウジング部（３０、３２）に固定され、かつ前記バッテリハウジング部（３０、３２）に導電接続され、
前記カバーは、前記リベットナット（６０）に固定されたねじ（６９）によって前記バッテリハウジング部（３０、３２）に固定される、バッテリハウジング（２０）。
【請求項１１】
前記リベットナット（６０）は、前記ヘッド部（６１）の、前記管状領域（６２、６３）から離れる方向を向いた側に少なくとも１つの突起（６５）を有し、前記突起は、前記カバー（５０）の固定中に前記カバー（５０）に食い込み、かつ前記リベットナット（６０）と前記カバー（５０）との間の導電接触をもたらすように設けられる、請求項１０に記載のバッテリハウジング。
【請求項１２】
前記リベットナット（６０）は、前記ヘッド部（６１）の、前記管状領域（６２、６３）の方を向いた側に少なくとも１つの突起（６７）を有し、前記突起は、前記リベットナット（６０）の前記バッテリハウジング部（３０、３２）への固定中に前記バッテリハウジング部（３０、３２）に食い込み、かつ前記リベットナット（６０）と前記バッテリハウジング部（３０、３２）との間の導電接触をもたらすように設けられる、請求項１０または１１に記載のバッテリハウジング。
【請求項１３】
突起（７５）が前記リベットナット（６０）の前記管状領域（６２、６３）に設けられ、前記突起は、前記リベットナット（６０）の前記バッテリハウジング部（３０、３２）への押し込み中に前記バッテリハウジング部（３０、３２）に食い込み、かつ前記リベットナット（６０）と前記バッテリハウジング部（３０、３２）との間の導電接触をもたらすように設計される、請求項１０〜１２のいずれか一項に記載のバッテリハウジング。
【請求項１４】
前記突起（７５）は、切刃として設計される、請求項１３に記載のバッテリハウジング。
【請求項１５】
請求項１〜９のいずれか一項に記載のシールド部（７０）を有する、請求項１０〜１４のいずれか一項に記載のバッテリハウジング。
【請求項１６】
車両（１２）のボディ（１０）に連結される、請求項１〜１５のいずれか一項に記載のバッテリハウジング。
【発明の詳細な説明】
【技術分野】
【０００１】
本発明は、トラクションバッテリ用のバッテリハウジングに関する。
【背景技術】
【０００２】
電気エネルギで駆動される現代の電気車両、すなわち、例えば自動車両、鉄道車両または船舶では、駆動エネルギは、多くの場合、車両のトラクションバッテリに蓄えられる。トラクションバッテリは、電気車両を駆動する役割を果たすエネルギ蓄積装置であり、駆動バッテリとも呼ばれる。トラクションバッテリは、高電圧バッテリであるのが好ましく、通常、電磁波を発生させる電子部品が設けられる。前記電磁波は、バッテリハウジングで遮蔽されることを企図されている。
【０００３】
（特許文献１）は、トラクションバッテリ用のハウジングを提示している。電磁放射線および交番磁界に対する有効なシールドを可能にするために、軟磁性材料からなる平坦な要素が設けられる。
【０００４】
（特許文献２）は、互いに連結された上側シェルおよび下側シェルを有するトラクションバッテリ用のバッテリボックスを提示している。電磁適合性を高める手段、特に、締結クリップが設けられる。
【０００５】
（特許文献３）は、バッテリ用のハウジング、およびそのようなハウジングを取り付ける方法を提示している。連結領域において、ハウジング部が、弾性予張力を用いて互いに機械的に連結され、電気的に接続される。
【０００６】
（特許文献４）は、電気車両のトラクションバッテリを受け入れるバッテリハウジング部を提示している。バッテリハウジング部の壁に空洞が設けられる。
【先行技術文献】
【特許文献】
【０００７】
【特許文献１】独国特許出願公開第１０  ２０１３  １１２  ４１３Ａ１号明細書
【特許文献２】独国特許出願公開第１０  ２０１２  ００４  １３５Ａ１号明細書
【特許文献３】独国特許出願公開第１０  ２０１３  ０２１  １７３Ａ１号明細書
【特許文献４】独国特許出願公開第１０  ２０１１  ０５２  ５１３Ａ１号明細書
【発明の概要】
【発明が解決しようとする課題】
【０００８】
したがって、本発明の目的は、新規のバッテリハウジングを提供することである。
【課題を解決するための手段】
【０００９】
この目的は、請求項１の主題によって達成される。
【００１０】
バッテリハウジングの良好なシールドがシールド部によって得られる。
【００１１】
好ましい実施形態によれば、シールド部は、少なくとも領域において金属材料から形成される。これはシールドを改善する。
【００１２】
好ましい実施形態によれば、シールド部は、カバーまたはバッテリハウジング部に固定連結される。それにより、シールド部の取付けがきわめて簡単になる。
【００１３】
好ましい実施形態によれば、シールド部は、例えば、バッテリハウジング部および／またはカバーに連結することでバッテリハウジングに導電接続される。これはシールドを改善する。
【００１４】
目的はまた、請求項１０の主題によって達成される。
【００１５】
バッテリハウジングでの導電接続の形成は、多くの場合、特に被覆がある場合に困難であるため、リベットナットの使用は非常に有利であると分かった。リベットナットの取付けは簡単であり、電気接続を形成することができる。
【００１６】
好ましい実施形態によれば、リベットナットは突起を有し、この突起によって周囲部品との電気接触を改善することができる。
【００１７】
好ましい実施形態によれば、バッテリハウジングは、リベットナットおよびシールド部の両方を有する。これは、バッテリハウジング部と、カバーと、シールド部との間の良好な電気接続を可能にし、良好なシールドをもたらす。
【００１８】
好ましい実施形態によれば、バッテリハウジング部およびカバーは、金属材料を有する。したがって、バッテリハウジングは、ファラデー箱として機能することができ、電磁放射線に対するシールドとして機能することができる。
【００１９】
以下に説明され、図面に示されるが、決して本発明に対する限定と解釈してはならない例示的な実施形態および従属請求項から、本発明のさらなる詳細および有利な発展形態が明らかになる。
【図面の簡単な説明】
【００２０】
【図１】バッテリを含むバッテリハウジングを断面図で示す。
【図２】図１のバッテリハウジングの矢印ＩＩの方向からの側面図を示す。
【図３】図１のバッテリハウジングに配置されたリベットナットを断面図で示す。
【図４】図１のバッテリハウジングに圧締めされたリベットナットを断面図で示す。
【図５】図４のリベットナットによって閉鎖されたバッテリハウジングを断面図で示す。
【図６】リベットナットの有利な実施形態を図３の交差線ＶＩ−ＶＩに沿った断面図で示す。
【図７】リベットナットの別の有利な実施形態を図３の交差線ＶＩ−ＶＩに沿った断面図で示す。
【発明を実施するための形態】
【００２１】
図についての下記の説明において、同一であるかまたは同一の方法で機能する部分は同じ参照符号で示され、通常、一度のみ説明される。
【００２２】
図１は、バッテリハウジング部３０、３２と、バッテリハウジング部３０、３２用のカバー５０とを有するバッテリハウジング２０を示す。バッテリ１５、特に、再充電可能なトラクションバッテリ１５は、上記に説明したようにバッテリハウジング部３０、３２に配置されている。
【００２３】
バッテリハウジング部３０、３２は、車両１２の概略的に示したボディ１０に連結され、好ましくは車両１２の中央領域に配置される。
【００２４】
例示的な実施形態では、バッテリハウジング部３０、３２は、ベースプレート３０とも称することができるベース部３０と、ベース部３０に連結され、バッテリ構造体３２とも称することができる外側バッテリハウジング構造体３２とを有する。バッテリハウジング構造体３２は、押出形材として設計されるのが好ましく、カバー５０が当接した端部ストッパまたはスペーサ３３を有するのが好ましい。より正確に言うと、カバー５０は、接触面５２を有し、バッテリハウジング部３０、３２は、接触対向面３４を有する。接触面５２および接触対向面３４は、接触領域９０で互いに接触している。
【００２５】
バッテリハウジング構造体３２およびベース部３０は、例えば、溶接接合によって互いに連結されている。
【００２６】
カバー５０およびバッテリハウジング部３０、３２は、例示的な実施形態では、接着剤４０を用いて接着連結が行われるギャップ９２を領域において形成しており、接着剤４０は、カバー５０とバッテリハウジング部３０、３２とを互いに連結している。したがって、ギャップ９２は、接着ギャップ９２とも称される。図示した構成は、バッテリハウジング２０を開くために、鋭利な物体、例えばナイフがギャップ９２を通り、接着剤４０が切り開かれることにより、接着剤４０を無効にするかまたは取り除くことができるという利点を有する。新たに閉鎖するために、バッテリハウジング２０は再度接着接合することができる。
【００２７】
接着ギャップの幅は、例として、５ｍｍ〜７ｍｍである。ハウジング２０は概略的に示されており、ギャップ９２と比較して、図示したものよりも大きい。
【００２８】
シールド部７０は、接触領域９０と、バッテリ１５を配置することができるバッテリハウジング２０の内部との間に設けられている。シールド部７０は、少なくとも複数の領域で金属材料から形成されるのが好ましい。
【００２９】
例示的な実施形態では、シールド部７０は、カバー５０に固定されており、したがって、カバー５０を取り付けることで、同時にシールド部７０が適切に配置される。
【００３０】
同様に、シールド部７０は、接触領域９０を遮蔽するようにバッテリハウジング部３０、３２に固定することもできる。
【００３１】
例示的な実施形態では、シールド部７０は、バッテリハウジング部３０、３２と全く接触しない。しかし、接触部を設けることもでき、さらに、シールド部７０がバッテリハウジング部３０、３２と弾性を有して当接するのを可能にするか、または前記シールド部がバッテリハウジング部３０、３２への固定時にカバー５０に弾性を有して当接するのを可能にすることができる。
【００３２】
カバー５０は、金属材料、特に鋼もしくアルミニウムまたは前記材料の１つを含む合金から形成されるのが好ましい。
【００３３】
ハウジング部３０、３２は、金属材料、特にアルミニウムもしくは鋼またはこれらの材料の少なくとも１つを含む合金から形成されるのが好ましい。
【００３４】
カバー５０およびバッテリハウジング部３０、３２が金属材料から形成される場合、それらは、ファラデー箱を形成することができ、それにより、電磁場の良好なシールドを可能にする。これは、電磁適合性（ＥＭＣ）を大きく改善する。
【００３５】
図２は、シールド部７０の側面図を示し、このシールド部７０は、例示的な実施形態では、シールドプレートとして設計されている。そのようなシールドプレートは、帯状材料の形態で利用可能であり、所望の長さに切り取ることができる。シールド部７０は、有孔プレートの態様で凹部７４を設けられた第１の領域７１と、カバー５０に固定された第２の領域７２とを有する。固定は溶接接合によって行われ、溶接点５４が例として示されている。シールド部７０は、シールドを効果的にするために、カバー５０および／またはバッテリハウジング部３０、３２に導電接続されるのが好ましい。
【００３６】
シールドは、シールド部７０によって生じた付加的なシールド減衰を求めることでチェックすることができる。その目的は、電場、磁場、および電磁波の発生または透過を防止するか、または少なくとも減少させることである。
【００３７】
図３は、ブラインドリベットナットとも称されるリベットナット６０を示す。
【００３８】
リベットナット６０は、ヘッド部６１および管状領域６２、６３を有し、この管状領域６２、６３は、変形可能領域６２と、雌ねじ６４が設けられた領域６３とを有する。
【００３９】
ヘッド部６１上で、管状領域６２、６３とは反対側に突起６５が設けられ、管状領域６２、６３の方を向いた側に突起６７が設けられている。突起６５、６７は、スパイクまたはシャープスクレーパとも称することができ、各事例で複数の突起６５、６７を設けることができる。
【００４０】
突起６５、６７は、例えば、スタンピングによる変形によって形成することができ、突起６５、６７に対応する窪み６６、６８が図示されている。
【００４１】
リベットナット６０は、好ましくはバッテリハウジング構造体３２の領域でバッテリハウジング部３０、３２の切り抜き３５に押し込まれる。
【００４２】
カバー５０は、下記に示すように、リベットナット６０によってバッテリハウジング部３０、３２に好ましい方法で固定することができる。
【００４３】
図４は、リベットナット６０のバッテリハウジング部３０、３２への固定を示す。取付け時、リベットナット６０は、バッテリハウジング部３０、３２に押し込まれ、したがって、突起６７がバッテリハウジング部３０、３２に食い込む。バッテリハウジング部３０、３２およびリベットナット６０が金属材料から構成されている場合、これは導電接続をもたらす。
【００４４】
リベットナット６０は、リベット打ち工具（図示せず）によって領域６３のそばで変形し、ねじ部がヘッド部６１の方に引き寄せられる。これにより、管状領域６２、６３の変形領域６２にビードが形成され、このビードにより、リベットナット６０がバッテリハウジング部３０、３２に固定連結される。
【００４５】
図５は、リベットナット６０およびねじ６９を用いた、カバー５０のバッテリハウジング部３０、３２への固定を示す。
【００４６】
カバー５０が配置され、ねじ６９が、カバー５０の開口５１に挿入され、リベットナット６０に螺入される。螺入により、突起６５がカバー５０に食い込み、カバー５０およびリベットナット６０が金属材料から形成されると、カバー５０とリベットナット６０との間に良好に導電接続が生じる。
【００４７】
総じて言えば、バッテリハウジング部３０、３２および／またはカバー５０が被覆されている場合であっても、このようにリベットナット６０を介してカバー５０とバッテリハウジング部３０、３２との間の良好に導電接続を得ることができる。
【００４８】
これは、特に、被覆によって腐食から保護される車両１２のボディ１０にとって有利である。この目的のために頻繁に使用される被覆のタイプは、カソード浸漬被覆（ＣＤＣ）である。この被覆は、バッテリハウジング部３０、３２およびカバー５０の面に非導電性の層または導電性が不十分な層を形成し、この層は、突起６５、６７がない場合に導電性が不十分な接触をもたらす。リベットナット６０の配置およびそのねじ締め時に、突起が被覆層に食い込み、周囲の部品との良好な電気接触を形成する。
【００４９】
リベットナット６０のねじ連結に加えて、リベットナット６０の範囲外の領域のみ、またはリベットナットの領域および／もしくはリベットナットの範囲外の領域のいずれかにおけるギャップ９２に、図１の接着剤４０を供給することができる。
【００５０】
ギャップ９２がヘッド部６１の厚さよりも大きい場合、カバー５０は、カバー５０とバッテリハウジング部３０、３２との間を適切な間隔にするため、対応する領域において局所的に型押し成形することができる。
【００５１】
図６は、図３の交差線ＶＩ−ＶＩの方向に見たリベットナット６０の変形形態を示す。管状領域６２、６３の外側に３つの突起７５が設けられ、前記突起は、管状領域６２、６３の外側に沿って延び、切刃または掻取り刃として機能する。突起７５は、管状領域６２、６３の円周に配置されるのが好ましい。
【００５２】
これらの突起７５は、リベットナット６０がバッテリハウジング部３０、３２に押し込まれたときに食い込み、リベットナット６０とバッテリハウジング部３０、３２との間の良好な電気接触をもたらす。
【００５３】
突起７５は、電気接触を形成するために、突起６７の代替としてまたはそれに加えて使用することができる。
【００５４】
図７は、５つの突起７５が設けられた図６による実施形態を示す。
【００５５】
当然のことながら、本発明の範囲内で様々な修正形態が可能である。
【符号の説明】
【００５６】
１５  トラクションバッテリ
２０  バッテリハウジング
２１  受入れ領域
３０  バッテリハウジング部
３２  バッテリハウジング部
３４  接触対向面
３５  切り抜き
４０  接着剤
５０  カバー
５２  接触面
５４  溶接点
６０  リベットナット
６１  ヘッド部
６２  管状領域
６３  管状領域
６４  雄ねじ
６５  突起
６６  窪み
６７  突起
６８  窪み
６９  ねじ
７０  シールド部
７３  シールド領域
７５  突起
９０  接触領域
９２  ギャップ
【図１】
2018046014.tif 000003
【図２】
2018046014.tif 000004
【図３】
2018046014.tif 000005
【図４】
2018046014.tif 000006
【図５】
2018046014.tif 000007
【図６】
2018046014.tif 000008
【図７】
2018046014.tif 000009
【外国語明細書】
2018046014000001.pdf